(57)【特許請求の範囲】
【請求項１】
トーチ本体の先端部に取り付けてあるガスノズルの先端部内面にねじ部を設け、該ガスノズルの先端部に、露点計測器側に備えた接続用アダプタをねじ込みにより接続できるようにしたことを特徴とする溶接トーチ。
【発明の詳細な説明】
【０００１】
【産業上の利用分野】
本発明はアルゴンガスやヘリウムガス等のイナートガスによるシールドガス流で囲まれた領域で溶接を行うＴＩＧ溶接装置やＭＩＧ溶接装置で用いる溶接トーチに関するものである。
【０００２】
【従来の技術】
ＴＩＧ溶接やＭＩＧ溶接では、シールドガスの品質が溶接後の溶接金属部の材料劣化等に影響を与えるため、溶接前にシールドガスの露点計測を行うことが肝要である。
【０００３】
上記シールドガスの露点計測を行う場合、従来では、図４にＴＩＧ溶接装置の場合について一例を示す如く、先端部にシールドガスを噴出させるためのガスノズル３が取り付けられている溶接トーチ１のトーチ本体２にケーブル一体型のホース４が接続してある構成において、ホース４の途中に接続ジョイント５を設けてホース４を切り離せるようにし、ガスボンベ８側のホース４の先端に位置する接続ジョイント５に露点計測器６を接続し、制御装置７によりガスボンベ８内のシールドガスを上記ホース４を通して露点計測器６に送給して、シールドガスの露点計測を行うようにしている。９は水冷ポンプを示す。
【０００４】
【発明が解決しようとする課題】
ところが、上記従来におけるシールドガスの露点計測方式の場合には、シールドガスが溶接トーチ１へ入る手前の位置のホース４内での露点計測であるため、溶接トーチ１内でのシールドガスの純度低下を発見することができないという問題があり、又、ホース４の接続ジョイント５での着脱作業や露点計測器６へのホース４の着脱作業が必要となるので、露点計測に要する時間が長くかかる問題がある。
【０００５】
そこで、本発明は、トーチ内部を流れるシールドガスの露点を計測できるようにすると共に、露点計測器を容易に着脱させることができるようにして計測作業時間の短縮化を図ることができるような溶接トーチを提供しようとするものである。
【０００６】
【課題を解決するための手段】
本発明は、上記課題を解決するために、トーチ本体の先端部に取り付けてあるガスノズルの先端部内面にねじ部を設け、該ガスノズルの先端部に、露点計測器側に備えた接続用アダプタをねじ込みにより接続できるようにした構成とする。
【０００７】
【作用】
ガスノズルの先端部内面にねじ部を設けると、接続用アダプタにより露点計測器を簡単に着脱させることができ、トーチ内でのシールドガスの露点を計測できるようになる。
【０００８】
【実施例】
以下、本発明の実施例を図面を参照して説明する。
【０００９】
図１及び図２は本発明の一実施例を示すもので、図４に示したと同様に、トーチ本体２の先端部にシールドガスを噴出させるためのガスノズル３が取り付けてあるＴＩＧ溶接装置の溶接トーチ１において、上記ガスノズル３の先端部内面に、露点計測器６側の接続用アダプタ１０を着脱可能に取り付けるためのねじ部１１を設け、上記ガスノズル３に上記接続用アダプタ１０を用いて露点計測器６を接続することにより、溶接トーチ１内を通るシールドガスの露点をガスノズル３部で計測させられるようにする。
【００１０】
上記接続用アダプタ１０は、図２に拡大して示す如く、ガスノズル３の外径とほぼ等しい外径に形成した本体ブロック１２の一端面に、ガスノズル３の内径と対応する外径のノズルジョイント１３を段差を付けて突設して、該ノズルジョイント１３の外周面部に、上記ガスノズル３のねじ部１１と螺合できるようにしたねじ部１４を設け、且つ上記本体ブロック１２の一端面の外周部に、ガスノズル３の先端面部との間に介在させるようにするためのパッキン１５を装着し、更に、上記本体ブロック１２の他端面に、基端部を露点計測器６に接続したガスホース１６の先端部内にシール材１７を介し差し込んで接続するようにした小径のホースジョイント１８を設け、上記ノズルジョイント１３、本体ブロック１２、ホースジョイント１８の中心部に一連のガス流通路１９を形成してなる構成としてある。
【００１１】
シールドガスの露点計測を行う場合には、予め、露点計測器６に接続したガスホース１６の先端部における接続用アダプタ１０のノズルジョイント１３を、溶接トーチ１のガスノズル３の先端部内に差し込んで接続させるようにする。この場合、ガスノズル３の先端部内面と接続用アダプタ１０のノズルジョイント１３の外周面部には、ねじ部１１と１４が対応するように設けてあるため、接続用アダプタ１０の本体ブロック１２を手で回すように操作すると、ノズルジョイント１３がガスノズル３内にねじ込まれることにより接続される。又、この際、ノズルジョイント１３がガスノズル３にねじ込まれて行くことにより、本体ブロック１２のノズルジョイント１３の外周位置に装着してあるパッキン１５がガスノズル３の先端面に押圧されて両者の間に介在挾持された状態となるので、ガスノズル３と接続用アダプタ１０の接続シール性が得られる。なお、ノズルジョイント１３をねじ込むときに、ねじ部１１にウォーターガスケットを塗布させておくようにすると、接続シール性を更に確かなものとすることができる。
【００１２】
上記の状態において、シールドガスの露点計測を行うと、溶接トーチ１内を通るシールドガスの露点をガスノズル３の位置で確実に計測することができる。
【００１３】
上述した如く、ガスノズル３の先端部内面にねじ部１１を設けておくと、ホース４を接続ジョイント５の部分でその都度分離、接続することなく、露点計測器６を接続用アダプタ１０を用いて簡単に着脱させることができるので、露点計測に要する全体の作業時間を短くすることができる。
【００１４】
露点計測を終了して溶接作業に移るときには、ガスノズル３の先端部から接続用アダプタ１０を取り外した後、図３に示す如き内面保護用アダプタ２３をガスノズル３の先端部に取り付けて、ガスノズル３の先端部内面へのスパッタの付着を防止させるようにする。上記内面保護用アダプタ２３は、ガスノズル３の内径と対応する外径に形成した筒状のアダプタ本体２０の外周面部に、上記ガスノズル３のねじ部１１と螺合し得るねじ部２１を設け、且つ上記アダプタ本体２０の基端部に、ガスノズル３の先端部の形状と対応するように外側に折り返した着脱用操作部２２を形成してなる構成としてある。
【００１５】
ＴＩＧ溶接では、溶接施工時に発生したスパッタがガスノズル３の内面に付着する問題があり、スパッタが付着するとガス流路が狭隘化してしまう。そのため、従来ではスパッタを落す作業を行うか、あるいは、ガスノズル３をそっくり交換することが行われているので、スパッタの除去作業には長時間を要し、又、ガスノズル３を交換する場合にはコストがかかるという欠点がある。
【００１６】
そこで、スパッタが付着する領域よりもアダプタ本体２０の長さを長く形成しておいた内面保護用アダプタ２３を用意しておいて、上述した如く接続用アダプタ１０を取り外した後のガスノズル３のねじ部１１を利用して、内面保護用アダプタ２３を取り付けると、ガスノズル３の先端部内面へのスパッタの付着を防止することができてねじ部１１の潰れを防止することができる。内面保護用アダプタ２３にスパッタが多量に付着した場合には、新しい内面保護用アダプタ２３に交換すれば、ガス流路の狭隘化を防ぐことができ、この際、内面保護用アダプタ２３の交換はスパッタの除去作業に比してはるかに短時間で行うことができ、新しいガスノズル３に交換する場合に比してはるかに安価である。
【００１７】
このように溶接時には、内面保護用アダプタ２３を用いることによりガスノズル３の先端部内面のねじ部１１が保護され、シールドガスの露点計測時に接続用アダプタ１０の接続が支障なく行えることになる。
【００１８】
なお、上記実施例では、ＴＩＧ溶接装置で用いる溶接トーチについて示したが、ＭＩＧ溶接装置で用いる溶接トーチについても同様に採用できること、その他本発明の要旨を逸脱しない範囲内において種々変更を加え得ることは勿論である。
【００１９】
【発明の効果】
以上述べた如く、本発明の溶接トーチによれば、シールドガスを噴出させるガスノズルの先端部内面に、露点計測器側に備えた接続用アダプタをねじ込みにより接続するためのねじ部を設けた構成を有するので、接続用アダプタを用いて露点計測器をガスノズルに接続することにより、溶接トーチ内でのシールドガスの露点を確実に計測することができ、これにより溶接施工におけるシールドガスの品質管理を飛躍的に向上させることができ、その結果、溶接金属部の材質劣化等を減少させることができるため、補修が不要となってコストの削減化を図ることができ、しかもガスノズルのねじ部に対する接続用アダプタのねじ込み操作により露点計測器の着脱を簡単に行うことができることから、露点計測作業に要する時間を短くすることができ、又、上記ねじ部を利用して内面保護用アダプタを取り付けることができるので、スパッタの付着を防止することができ、スパッタの付着に伴うスパッタ除去作業やガスノズルの交換作業を不要とすることができると共に、露点計測器の接続用アダプタの接続に支障を来たすこともなくなる、という優れた効果を発揮する。
【図面の簡単な説明】
【図１】本発明の溶接トーチの一実施例を示す概要図である。
【図２】図１のＡ部拡大断面図である。
【図３】本発明の応用例を示す部分拡大断面図である。
【図４】従来の露点計測方式を示す概要図である。
【符号の説明】
１  溶接トーチ
２  トーチ本体
３  ガスノズル
６  露点計測器
１０  接続用アダプタ
１１  ねじ部
【図１】
0003564797.tif 000002
【図２】
0003564797.tif 000003
【図３】
0003564797.tif 000004
【図４】
0003564797.tif 000005